(57)【要約】      （修正有）【課題】周波数分割多元接続方式に従って、チャネルが幾つかのデータストリームを転送するために使用される、マルチキャリアベースディジタル通信システムを提供する。【解決手段】提案される方法は、各物理資源ブロックの少なくとも１つのサブキャリア及び少なくとも１つのシンボル時間上の複数のエレメンタリーストリームからデータを得るために、エレメンタリーストリームのデータが幾つかの物理資源ブロック上に分散され、且つ、各資源ブロック内で分散される伝送システムにおいて、データを物理資源にマッピングすることに関する。これによって、異なるストリームの割り当ての良好なダイバーシティが達成され、特に、特定のサブキャリア又は特定の継続時間に影響を与える不十分な伝送状態が、その影響を或る特定のストリームに集中させないという利点がもたらされる。【選択図】図１０
2008228279.tif 000002
【特許請求の範囲】
【請求項１】
マルチキャリアベース伝送システムにおけるデータ伝送方法であって、該伝送は、周波数分割多元接続方式に従って、複数のデータストリーム間で共有されるチャネルで行われ、異なる送信元からのデータ又は異なる送信先へのデータは、シンボルのストリームによって送信され、物理資源ブロックが、所与の個数の連続したサブキャリア及び所与の個数のシンボル長の伝送時間によって構成されるブロックとして定義され、これらのストリームの幾つかは分散型モードで伝送され、該データ伝送方法は、以下のステップ、すなわち、
第２の分散型モードで、他の幾つかの分散型ストリームを少なくとも１つの分散型物理資源ブロック上に分散型で割り当てるステップ
を含み、
前記分散型で割り当てるステップは、
前記分散型物理資源ブロックの各サブキャリア及び各シンボル時間が、少なくとも２つの異なるストリームからのシンボルに割り当てられる方法で、前記分散型ストリームのシンボルを、前記分散型物理資源ブロック上へ、及び該分散型物理資源ブロック内で、拡散するステップ
を含むことを特徴とする、マルチキャリアベース伝送システムにおけるデータ伝送方法。
【請求項２】
前記拡散するステップは、
前記分散型ストリームからシンボルを供給される第１の複数のＬ個のデータブロック（６．３）から、物理資源ブロックに割り当てられる第２の複数のＬ個のデータブロック（６．５）へ、シンボルを多重化するステップ
を含むことを特徴とする、請求項１に記載の方法。
【請求項３】
前記第１の複数のデータブロック及び前記第２の複数のデータブロックの各データブロックは、サイズＳを有し、０〜Ｓ−１にインデックスされ、各複数のデータブロックは、０〜Ｌ−１にインデックスされ、前記第１の複数のデータブロックのランクｊのデータブロックのランクｉの各シンボルは、前記第２の複数のデータブロックのランクｌ＝（ｉ＋ｊ）ｍｏｄ  Ｌのデータブロックのランクｋ＝ｉのシンボルに多重化されることを特徴とする、請求項２に記載の方法。
【請求項４】
前記第１の複数のデータブロック及び前記第２の複数のデータブロックの各データブロックは、サイズＳを有し、０〜Ｓ−１にインデックスされ、各複数のデータブロックは、０〜Ｌ−１にインデックスされ、ＬはＳの約数であり、前記第１の複数のデータブロックのランクｊのデータブロックのランクｉの各シンボルは、前記第２の複数のデータブロックのランクｌ＝ｉ  ｍｏｄ  Ｌのデータブロックのランクｋ＝（ｉ＋ｊ）ｍｏｄ  Ｌ＋［ｉ／Ｌ］＊Ｌのシンボルに多重化されることを特徴とする、請求項２に記載の方法。
【請求項５】
前記第１の複数のデータブロック及び前記第２の複数のデータブロックの各データブロックは、サイズＳを有し、０〜Ｓ−１にインデックスされ、各複数のデータブロックは、０〜Ｌ−１にインデックスされ、ＬはＳの約数であり、前記第１の複数のデータブロックのランクｊのデータブロックのランクｉの各シンボルは、前記第２の複数のデータブロックのランクｌ＝ｉ  ｍｏｄ  Ｌのデータブロックのランクｋ＝（ｉ＋ｊ）ｍｏｄ  Ｓのシンボルに多重化されることを特徴とする、請求項２に記載の方法。
【請求項６】
前記第１の複数のデータブロック及び前記第２の複数のデータブロックの各データブロックは、サイズＳを有し、０〜Ｓ−１にインデックスされ、各複数のデータブロックは、０〜Ｌ−１にインデックスされ、ＬはＳの約数であり、ｓが、１〜Ｌの間で選ばれ、
前記第１の複数のデータブロックのランクｊのデータブロックのランクｉの各シンボルは、前記第２の複数のデータブロックのランクｌ＝（ｉ＋ｊ＋ｓ）ｍｏｄ  Ｌのデータブロックのランクｋ＝ｉのシンボルに多重化されることを特徴とする、請求項２に記載の方法。
【請求項７】
前記伝送システムはセルラーであり、前記パラメータｓは、前記方法が使用されるセルに依存することを特徴とする、請求項６に記載の方法。
【請求項８】
前記第２の複数のデータブロックの前記シンボルを前記物理資源ブロックに最終的に割り当てるステップ
をさらに含むことを特徴とする、請求項２〜７のいずれか一項に記載の方法。
【請求項９】
前記データブロックの前記サイズＳは、前記物理資源ブロックのサイズと等しくなるように選ばれ、前記第２の複数のデータブロックの各データブロックの各シンボルは、対応する物理資源ブロックにおける同じランクのシンボルに割り当てられることを特徴とする、請求項８に記載の方法。
【請求項１０】
前記物理資源ブロックの幾つかのシンボルは禁止とされ、これらの禁止シンボルに割り当てられるシンボルはパンクチャされることを特徴とする、請求項９に記載の方法。
【請求項１１】
前記物理資源ブロックの幾つかのシンボルは禁止とされ、Ｓは、前記資源ブロックの利用可能なシンボルの個数に等しくなるように選ばれ、前記第２の複数のデータブロックの各データブロックの各シンボルは、対応する物理資源ブロック（９．２１、９．２２、９．２３）の利用可能なシンボルによって構成されるサブセットにおける同じランクのシンボルに割り当てられることを特徴とする、請求項８に記載の方法。
【請求項１２】
前記物理資源ブロックの幾つかのシンボルは禁止とされ、Ｓは、前記資源ブロックの利用可能なシンボルの個数よりも多くなるように、且つ、前記資源ブロックのシンボルの総数以下となるように選ばれ、前記第２の複数のデータブロックの各データブロックの各シンボルは、対応する物理資源ブロックにおける同じランクのシンボルに割り当てられ、禁止シンボルに割り当てられるシンボルはパンクチャされることを特徴とする、請求項８に記載の方法。
【請求項１３】
前記物理資源ブロックの幾つかのシンボルは禁止とされ、該禁止シンボルの個数及び／又は位置は、前記物理資源ブロック内で可変であり、Ｓは、前記資源ブロックの利用可能なシンボルの最小個数よりも多くなるように、且つ、前記資源ブロックのシンボルの総数以下となるように選ばれ、前記第２の複数のデータブロックの各データブロックの各シンボルは、対応する物理資源ブロックにおける同じランクのシンボルに一様に割り当てられ、前記ランクは、前記物理資源ブロックのシンボルのサブセット上で一様に定義され、前記禁止シンボルに割り当てられるシンボルはパンクチャされる（９．１１、９．１２、９．１３）ことを特徴とする、請求項８に記載の方法。
【請求項１４】
前記物理資源ブロックの幾つかのシンボルは禁止とされ、該禁止シンボルの個数及び／又は位置は、前記物理資源ブロック内で可変であり、Ｓは、前記資源ブロックの利用可能なシンボルの最小個数よりも多くなるように、且つ、前記資源ブロックのシンボルの総数以下となるように選ばれ、前記第２の複数のデータブロックの各データブロックの各シンボルは、対応する物理資源ブロックにおける同じランクのシンボルに一様に割り当てられ、前記ランクは、前記物理資源ブロックのシンボルのサブセット上で一様に定義され、前記禁止シンボルに割り当てられるシンボルは、利用可能であるが割り当てられていないシンボルに割り当てられる（９．３１、９．３２、９．３３）ことを特徴とする、請求項８に記載の方法。
【請求項１５】
前記異なるストリームからのシンボルを前記第１の複数のデータブロック内で最初に割り当てるステップをさらに含むことを特徴とする、請求項２〜１４のいずれか一項に記載の方法。
【請求項１６】
前記異なるストリームからのシンボルは、前記物理資源ブロック内の、請求項２〜１５のいずれか一項によって定義された正確な場所に直接割り当てられることを特徴とする、請求項１に記載の方法。
【請求項１７】
マルチキャリアベース伝送システムにおけるデータ伝送デバイス（１３．１）であって、伝送は、周波数分割多元接続方式に従って、複数のデータストリーム間で共有されるチャネルで行われ、異なる送信元からのデータ又は異なる送信先へのデータは、シンボルのストリームによって送信され、物理資源ブロックが、所与の個数の連続したサブキャリア及び所与の個数のシンボル長の伝送時間によって構成されるブロックとして定義され、これらのストリームの幾つかは分散型モードで伝送され、該データ伝送デバイスは、以下の手段、すなわち、
第２の分散型モードで、他の幾つかの分散型ストリームを少なくとも１つの分散型物理資源ブロック上に割り当てる分散型割り当て手段、
を備え、
前記分散型割り当て手段は、
前記分散型物理資源ブロックの各サブキャリア及び各シンボル時間が、少なくとも２つの異なるストリームからのシンボルに割り当てられる方法で、前記分散型ストリームのシンボルを、前記分散型物理資源ブロック上へ、及び該分散型物理資源ブロック内で、拡散する拡散手段
を備えることを特徴とする、マルチキャリアベース伝送システムにおけるデータ伝送デバイス。
【請求項１８】
データ伝送デバイス（１３．１）であって、前記拡散手段は、請求項２〜１４のいずれか一項に記載の方法を実施するようになっている、請求項１５に記載のデータ伝送デバイス。
【発明の詳細な説明】
【技術分野】
【０００１】
本発明は、周波数分割多元接続方式（ＦＤＭＡ）に従って、チャネルが幾つかのデータストリームを転送するために使用される、マルチキャリアベースディジタル通信システムに関する。異なるデータストリームは、少なくとも１つの送信元を発信源とし、且つ／又は、少なくとも１つの送信先に宛てられる。一般的な例は、チャネルが数人のユーザ間で共有され、各ユーザが場合によっては幾つかのサービスを受けることができるマルチユーザ移動無線セルラーシステムである。別の用途は、たとえば、幾つかの番組が多くの場合に同じチャネルで伝送されるオーディオ信号又はビデオ信号の放送である。異なるユーザ、サービス、番組等に関連付けられたデータは、結果として、論理ストリームとして記述される。本発明は、より詳細には、伝送に使用される物理資源へデータをマッピングすることに関する。
【背景技術】
【０００２】
図１は、時間１．１上の無線資源チャネルのアーキテクチャを示している。チャネルは、周波数の帯域(band)１．５によって構成される。このような伝送方式では、チャネル１．５は、「ＮＰＳＢ」個の物理サブバンド（physical sub-band）ＰＳＢ１．４に分割される。可変長を有する幾つかのマルチキャリアシンボルのバーストによってデータが伝送されるシステム、又は、伝送時間が、幾つかの特定のスロット（例えば、上りリンク・下りリンクスイッチングポイント）を除いて、一定数のシンボルから作成される複数のタイムスロットに分割されるシステムを特に考えることにする。より一般的には、データは、所与の個数「Ｎ」個の連続したマルチキャリアシンボルにマッピングされたパケットとして伝送されることが考えられる。このＮ個の連続したマルチキャリアシンボルは、結果として、伝送間隔１．３として記述される。この伝送間隔は、バースト、スロット、サブフレーム、フレーム、伝送時間間隔（ＴＴＩ）長、又は伝送システムに関係した他の任意の継続期間に対応することができる。各伝送間隔１．３にわたってチャネルを物理サブバンド１．４に分解することにより、ＮＰＲＢ＝ＮＰＳＢ個の物理資源ブロックの定義が得られる。この物理資源ブロックは、ＰＲＢと呼ばれ、１．２で参照される。チャネル内のサブバンドの個数は、場合によっては、各伝送間隔で異なることもある。
【０００３】
このようなシステムでは、物理媒体上への情報の実際の伝送を担当する物理層は、上位層からデータを、ビットから成るパケットとして受け取る。このパケットは通例、プロトコルデータユニットＰＤＵと呼ばれる。ＰＤＵのビット数は、関連する符号化の後、結果として生成される変調シンボルの個数が、割り当てられた資源において利用可能なサブキャリアの個数と一致するようにされる。状況に応じて、ＰＤＵは、１つ又は幾つかの論理ストリームに割り当てられたデータを運ぶことができる。たとえば、ＰＤＵは、セルラー移動無線システムで特定のユーザの１つ又は幾つかのサービスに関連付けられたデータを運ぶことができる。一般化するために、ＰＤＵは、物理ストリームに、又はより簡単にストリームに、関連付けられていると言われる。ＰＤＵは、多くの場合ＴＴＩに関係する所与の継続期間にわたって、幾つかのＰＲＢ上に割り当てることができる。提案される発明は、ＰＤＵを符号化した結果の変調シンボルの、伝送間隔にわたる１つ又は幾つかのＰＲＢへのマッピングを取り扱う。ＰＤＵを符号化した結果のデータは、ＢＤＵと表記される複数のブロックデータユニットにセグメント化されると仮定する。ここで、ＢＤＵは、ＰＤＵに割り当てられた複数のＰＲＢに対応する。提案される発明は、ＢＤＵをＰＲＢへマッピングするための解決法として記載される。
【０００４】
各伝送間隔にわたって、各物理ストリームの符号化プロセスの結果であり１．８で参照される変調シンボルは、１つ又は幾つかのＰＲＢ１．２にマッピングされる。各シンボルは、シンボル時間１．７の期間中、特定のサブキャリア１．６で伝送される。各ＰＲＢ１．２は、伝送用に利用可能なＲ＝Ｍ×Ｎ個の変調シンボル１．８から作成される。ここで、Ｎは、マルチキャリアシンボルの個数であり、Ｍは、ＰＲＢを構成するサブキャリアの個数である。異なる伝送モードに関連付けられたＰＲＢのサイズは、伝送間隔１．３にわたってＢＤＵを構築するのに必要な、ペイロードサイズとも呼ばれるビット数を定める。
【０００５】
上述したように、本発明の一般的な用途は、媒体へのアクセスが、例えば基地局によって集中化形式で制御されるセルラー移動無線システムである。この種のシステムの重要な問題点の１つは、システムの複雑さを妥当なレベルに維持しながら、全体的なシステム性能（スペクトル効率、ＢＥＲ及びＰＥＲ、電力消費、干渉レベル、又はシステムに関する他の任意の性能メトリック）を最適化するように、異なるストリームをＰＲＢに割り当てることである。データのＰＲＢへの動的な割り当て又は半静的な割り当てを行うシステムを取り扱うときには、割り当てられたＰＲＢの位置及び宛先を受信機に通知するのに必要なシグナリングの量を、できるだけ多く削減することも重要である。ＰＲＢ帯域幅が、チャネルコヒーレンス帯域幅よりもはるかに下回っている場合、この割り当ては、チャネル品質が予想性能レベル（たとえば、部分帯域全体にわたって良好な信号対雑音比を有するフラットフェージング）に適合する１つ又は幾つかのＰＲＢに、各ストリームを割り当てることによって行うことができる。この割り当てストラテジーは、ストリームが、連続したサブキャリアのブロック上で伝送されるので、「局所型（localized）」伝送という用語で記述される。逆方向伝送リンク(reverse transmission link)を有するシステムの場合、この割り当ては、受信端末によって評価されて送信側へ返信される或るチャネル品質表示（ＣＱＩ）を使用して確立することができる。この手法は、ＣＱＩ情報が、送信側で受信された時にまだ信頼できるものである限り適用される。
【０００６】
端末の速度（terminal velocity）があまりにも高速である場合、送信側が最後のＣＱＩ尺度（measure）を受信した時に、チャネルが大きく変化している場合があり、したがって、最も適切な割り当ての選択が妨げられる。その場合、解決法は、周波数領域の或るチャネルダイバーシティから利益を得るように、各ストリームを所与の一組の散在した非連続のサブキャリア上にマッピングすることである。この割り当ては、一般に「分散型」として記述される。分散型モードは、同じ番組を場合によっては多くの異なる受信機によって復号できる放送システムの場合にも適用することができる。
【０００７】
分散型伝送を取り扱う２つの主要な手法を検討することができる。第１の手法は、サブキャリアレベルで動作するものとして記述される。それらの方式では、例えば対応するシンボルをパンクチャ(puncture)することによって、分散型データが局所型データ内に挿入される。本発明は、所与の個数ＮＤ−ＰＲＢ個のＰＲＢが、ブロック的手法で分散型伝送に専用化される第２のクラスの方法に属する。ブロック的解決法では、伝送帯域幅は、局所型伝送又は分散型伝送のいずれかに専用化された部分帯域の組み合わせに構造化される。伝送帯域内における局所型伝送及び分散型伝送の多重化は、周波数分割多重（ＦＤＭ）によって実現される。局所型トラフィックに充てられるＰＲＢの個数は、ＮＬ−ＰＲＢと表記され、分散型トラフィックに充てられるＰＲＢの個数は、ＮＤ−ＰＲＢと表記される。ここで、ＮＬ−ＰＲＢ＋ＮＤ−ＰＲＢ＝ＮＰＲＢ（チャネル内のＰＲＢの総数）である。本明細書は、分散型伝送のマッピングを達成するための新規の方法を提案する。分散型ＰＲＢへのストリームの割り当て、及び分散型ＰＲＢ内でのストリームの割り当て、に採用されるマッピングの方式は、ストリームごとに達成される異なる性能レベルに影響を与え、したがって、伝送全体に影響を与える。
【０００８】
セルラー移動無線システムのフレームにおいて、幾つかのマッピングがこれまで提案されてきた。第１のマッピングは、≪3GPP-LTE R1-061182,「Distributed FDMA transmission for shared data channel in E-UTRA downlink」, NTT DoCoMo, Ericsson, Fujitsu, Mitsubishi Electric, Motorola, NEC, Nokia, Panasonic, Sharp, Toshiba Corporation, Ericsson≫に記載されたものである。この第１のマッピングは、ＰＲＢを、ＰＲＢの１つ又は幾つかのサブキャリアによって構成されるスライスに分割することに基づいている。割り当ては、すべてのＰＲＢについて同じである。説明されているように、この提案は、限られた個数のストリームについての解決法を提供する。ＰＲＢ内でのシグナリングシンボルの局所化に依存して、この提案は、マッピングの選択に従って、異なるストリームにより使用できる利用可能なペイロードに不釣合いをもたらす可能性がある。その上、深いフェージングが幾つかのサブキャリアで発生した場合に、その劣化が、異なるストリームに不規則に影響を与える。
【０００９】
第２のマッピングは、≪3GPP-LTE R1-060095,「E-UTRADL − Localized and distributed transmission」, Ericsson≫に提案されたものである。この提案は、説明されているように、ストリーム間の不釣合いの問題を克服しているが、一定サイズのスライスへのマッピング及びモジュロ割り当て（modulo allocation）に基づき、依然として、限られた個数のストリームについての解決法を検討している。その上、この解決法は、同様の深いフェージングの影響を示す。
【００１０】
チャネル状態における不釣合いは、異なるストリームにできるだけ均一に影響を与えるほうが有利である。また、単純な実装、並びに分散型モードで伝送されたストリームの割り当て及び宛先を受信端に示すのに必要な限られたシグナリング量を維持すると同時に、システムが伝送品質に関する正確な情報を得る能力に応じて、所与のストリームについて局所型モードと分散型モードとの間の簡単な切り換えを可能にすることも有利である。
【発明の開示】
【００１１】
これらの問題を克服するために、本発明は、各物理資源ブロックの少なくとも１つのサブキャリア及び少なくとも１つのシンボル時間上の複数のエレメンタリーストリームからデータを得るために、エレメンタリーストリームのデータが幾つかの物理資源ブロック上に分散され、且つ、各資源ブロック内で分散される伝送システムにおいて、データを物理資源にマッピングする方法を提案する。
【００１２】
このようなマッピングは、異なるストリームの割り当ての良好なダイバーシティを達成し、これによって、特に、特定のサブキャリア又は特定の継続時間に影響を与える不十分な伝送状態が、その影響を或る特定のストリームに集中させないという利点がもたらされる。
【００１３】
本発明の幾つかの実施の形態では、局所型トラフィック用のシグナリングと比較してオーバーヘッドが削減され簡単化されたシグナリング手法に適合できるという第２の利点が得られる。
【００１４】
本発明の幾つかの実施の形態では、割り当てから独立し且つストリーム間で等しいペイロードサイズを有するという利点が得られ、したがって、トラフィックスケジューリングが簡単化され、局所型モードと分散型モードとの間のスムーズな切り換えが可能になる。
【００１５】
本発明の幾つかの実施の形態では、分散型ＰＲＢにおける個数及び位置の動的な変更に適合できるという利点が得られる。
【００１６】
本発明の幾つかの実施の形態では、局所型伝送をサポートするシステムの実施オーバーヘッドが低くなる利益があるという利点が得られる。
【００１７】
本発明の幾つかの実施の形態では、例えば参照シンボルによる不規則な構造を有するＰＲＢについても、分散型データ間で規則性が維持されるという利点が得られる。
【００１８】
本発明の幾つかの実施の形態では、特定の伝送方式によって必要とされる場合に、シンボルグループのマッピングが可能になるという利点が得られる。
【００１９】
本発明の幾つかの実施の形態では、セルラーシステムにおける分散型ストリーム間のセル間干渉を削減するための簡単な解決法に適合できるという利点が得られる。
【００２０】
本発明は、マルチキャリアベース伝送システムにおけるデータ伝送方法であって、伝送は、周波数分割多元接続方式に従って、複数のデータストリーム間で共有されるチャネルで行われ、異なる送信元からのデータ又は異なる送信先へのデータは、シンボルのストリームによって送信され、物理資源ブロックが、所与の個数の連続したサブキャリア及び所与の個数のシンボル長の伝送時間によって構成されるブロックとして定義され、これらのストリームの幾つかは分散型モードで伝送され、データ伝送方法は、第２の分散型モードにおいて、他の幾つかの分散型ストリームを少なくとも１つの分散型物理資源ブロック上に、分散型で割り当てるステップを含み、分散型で割り当てるステップは、分散型物理資源ブロックの各サブキャリア及び各シンボル時間が、少なくとも２つの異なるストリームからのシンボルに割り当てられる方法により、分散型ストリームのシンボルを、分散型物理資源ブロック上へ、及び分散型物理資源ブロック内で、拡散するステップを含む、データ伝送方法に関する。
【００２１】
本発明の特定の一実施の形態によれば、拡散するステップは、分散型ストリームからシンボルを供給される第１の複数のＬ個のデータブロックから、物理資源ブロックに割り当てられる第２の複数のＬ個のデータブロックへ、シンボルを多重化するステップを含む。
【００２２】
本発明の特定の一実施の形態によれば、第１の複数のデータブロック及び第２の複数のデータブロックの各データブロックは、サイズＳを有し、０〜Ｓ−１にインデックスされ、各複数のデータブロックは、０〜Ｌ−１にインデックスされ、第１の複数のデータブロックのランクｊのデータブロックのランクｉの各シンボルは、第２の複数のデータブロックのランクｌ＝（ｉ＋ｊ）ｍｏｄ  Ｌのデータブロックのランクｋ＝ｉのシンボルに多重化される。
【００２３】
本発明の特定の一実施の形態によれば、第１の複数のデータブロック及び第２の複数のデータブロックの各データブロックは、サイズＳを有し、０〜Ｓ−１にインデックスされ、各複数のデータブロックは、０〜Ｌ−１にインデックスされ、ＬはＳの約数であり、第１の複数のデータブロックのランクｊのデータブロックのランクｉの各シンボルは、第２の複数のデータブロックのランクｌ＝ｉ  ｍｏｄ  Ｌのデータブロックのランクｋ＝（ｉ＋ｊ）ｍｏｄ  Ｌ＋［ｉ／Ｌ］＊Ｌのシンボルに多重化される。
【００２４】
本発明の特定の一実施の形態によれば、第１の複数のデータブロック及び第２の複数のデータブロックの各データブロックは、サイズＳを有し、０〜Ｓ−１にインデックスされ、各複数のデータブロックは、０〜Ｌ−１にインデックスされ、ＬはＳの約数であり、第１の複数のデータブロックのランクｊのデータブロックのランクｉの各シンボルは、第２の複数のデータブロックのランクｌ＝ｉ  ｍｏｄ  Ｌのデータブロックのランクｋ＝（ｉ＋ｊ）ｍｏｄ  Ｓのシンボルに多重化される。
【００２５】
本発明の特定の一実施の形態によれば、第１の複数のデータブロック及び第２の複数のデータブロックの各データブロックは、サイズＳを有し、０〜Ｓ−１にインデックスされ、各複数のデータブロックは、０〜Ｌ−１にインデックスされ、ＬはＳの約数であり、ｓが、１〜Ｌの間で選ばれ、第１の複数のデータブロックのランクｊのデータブロックのランクｉの各シンボルは、第２の複数のデータブロックのランクｌ＝（ｉ＋ｊ＋ｓ）ｍｏｄ  Ｌのデータブロックのランクｋ＝ｉのシンボルに多重化される。
【００２６】
本発明の特定の一実施の形態によれば、伝送システムはセルラーであり、パラメータｓは、その方法が使用されるセルに依存する。
【００２７】
本発明の特定の一実施の形態によれば、本方法は、第２の複数のデータブロックのシンボルを物理資源ブロックに最終的に割り当てるステップをさらに含む。
【００２８】
本発明の特定の一実施の形態によれば、データブロックのサイズＳは、物理資源ブロックのサイズと等しくなるように選ばれ、第２の複数のデータブロックの各データブロックの各シンボルは、対応する物理資源ブロックにおける同じランクのシンボルに割り当てられる。
【００２９】
本発明の特定の一実施の形態によれば、物理資源ブロックの幾つかのシンボルは禁止とされ、これらの禁止シンボルに割り当てられるシンボルはパンクチャされる。
【００３０】
本発明の特定の一実施の形態によれば、物理資源ブロックの幾つかのシンボルは禁止とされ、Ｓは、資源ブロックの利用可能なシンボルの個数に等しくなるように選ばれ、第２の複数のデータブロックの各データブロックの各シンボルは、対応する物理資源ブロックの利用可能なシンボルによって構成されるサブセットにおける同じランクのシンボルに割り当てられる。
【００３１】
本発明の特定の一実施の形態によれば、物理資源ブロックの幾つかのシンボルは禁止とされ、Ｓは、資源ブロックの利用可能なシンボルの個数よりも多くなるように、且つ、資源ブロックのシンボルの総数以下となるように選ばれ、第２の複数のデータブロックの各データブロックの各シンボルは、対応する物理資源ブロックにおける同じランクのシンボルに割り当てられ、禁止シンボルに割り当てられるシンボルはパンクチャされる。
【００３２】
本発明の特定の一実施の形態によれば、物理資源ブロックの幾つかのシンボルは禁止とされ、禁止シンボルの個数及び／又は位置は、物理資源ブロック内で可変であり、Ｓは、資源ブロックの利用可能なシンボルの最小個数よりも多くなるように、且つ、資源ブロックのシンボルの総数以下となるように選ばれ、第２の複数のデータブロックの各データブロックの各シンボルは、対応する物理資源ブロックにおける同じランクのシンボルに一様に割り当てられ、ランクは、物理資源ブロックのシンボルのサブセット上で一様に定義され、禁止シンボルに割り当てられるシンボルはパンクチャされる。
【００３３】
本発明の特定の一実施の形態によれば、物理資源ブロックの幾つかのシンボルは禁止とされ、禁止シンボルの個数及び／又は位置は、物理資源ブロック内で可変であり、Ｓは、資源ブロックの利用可能なシンボルの最小個数よりも多くなるように、且つ、資源ブロックのシンボルの総数以下となるように選ばれ、第２の複数のデータブロックの各データブロックの各シンボルは、対応する物理資源ブロックにおける同じランクのシンボルに一様に割り当てられ、ランクは、物理資源ブロックのシンボルのサブセット上で一様に定義され、禁止シンボルに割り当てられるシンボルは、利用可能であるが割り当てられていないシンボル(non allocated available symbol)に割り当てられる。
【００３４】
本発明の特定の一実施の形態によれば、本方法は、異なるストリームからのシンボルを第１の複数のデータブロック内で最初に割り当てるステップをさらに含む。
【００３５】
本発明の特定の一実施の形態によれば、異なるストリームからのシンボルは、物理資源ブロック内の、上記で定義された正確な場所に、直接割り当てられる。
【００３６】
本発明は、マルチキャリアベース伝送システムにおけるデータ伝送デバイス（１３．１）であって、伝送は、周波数分割多元接続方式に従って、複数のデータストリーム間で共有されるチャネルで行われ、異なる送信元からのデータ又は異なる送信先へのデータは、シンボルのストリームによって送信され、物理資源ブロックが、所与の個数の連続したサブキャリア及び所与の個数のシンボル長の伝送時間によって構成されるブロックとして定義され、これらのストリームの幾つかは分散型モードで伝送され、データ伝送デバイスは、第２の分散型モードにおいて、他の幾つかの分散型ストリームを少なくとも１つの分散型物理資源ブロック上に割り当てる分散型割り当て手段を備え、分散型割り当て手段は、分散型物理資源ブロックの各サブキャリア及び各シンボル時間が、少なくとも２つの異なるストリームからのシンボルに割り当てられる方法により、分散型ストリームのシンボルを、分散型物理資源ブロック上へ、及び分散型物理資源ブロック内で、拡散する拡散手段を備える、データ伝送デバイスにも関する。
【００３７】
本発明の特定の一実施の形態によれば、拡散手段は、上述の方法を実施するようになっている。
【００３８】
本発明の特徴は、一例である実施形態の以下の説明を読むことによってより明らかになる。その説明は、添付図面に関連して作成されたものである。
【発明を実施するための最良の形態】
【００３９】
上述したように、分散型伝送は、移動環境において主に必要とされ、典型的には、無線移動システムにおいて必要とされる。より一般的には、分散型伝送は、周波数領域においてチャネルダイバーシティを活用することにより利益を得るシステムにとって有益である。これらのシステムの幾つかは、チャネル劣化に対するローバスト性を得るためのＯＦＤＭと、多元接続のためのＦＤＭＡ接続方式とを組み合わせたものであるＯＦＤＭＡ技法に依拠している。その問題点は、異なるストリームを分散型ＰＲＢに割り当てることである。≪3GPP-LTE R1-061182,「Distributed FDMA transmission for shared data channel in E-UTRA downlink」, NTT DoCoMo, Ericsson, Fujitsu, Mitsubishi Electric, Motorola, NEC, Nokia, Panasonic, Sharp, Toshiba Corporation, Ericsson≫に記載されている技法のような既存の技法は、時間領域又は周波数領域のいずれかでＰＲＢをスライスに分割することを提案している。より一般的には、それらのスライスは、複数の連続したサブキャリアとして作成することができる。
【００４０】
基本的な方法は、すべての分散型ＰＲＢ内の同じスライスを、所与のストリームに割り当てることにある。図２は、この解決法を示している。この解決法では、２．１で参照されるストリームＳｉ、２．２で参照されるストリームＳｋ、２．３で参照されるストリームＳｌの３つのストリームが、３つの分散型ＰＲＢのそれぞれの内の同じ一組のサブキャリアに割り当てられている。もし、分散型ＰＲＢが帯域幅全体に拡散されていれば、この方式によって、良好なダイバーシティから利益を得ることが可能になる。しかしながら、（たとえば、３ＧＰＰ−ＬＴＥシステムにおける２．５ＭＨｚ未満のチャネルについて）削減された個数のＰＲＢ内でマッピングする場合には、所与の周波数スライスがＰＲＢ内での深いフェードの影響を受けるときに、周波数領域における割り当てによって、性能劣化がもたらされるおそれがある。
【００４１】
ストリーム割り当て用のシグナリングが、マルチユーザセルラーシステムでは重要な問題として現れる。より一般的には、適切な情報の復号を可能にするために、異なるストリームの割り当てを受信機にシグナリングすることが必要とされる。局所型伝送の場合には、少なくとも２つの一般的な手法が構想される。「テーブルベース」として記述される第１の手法では、テーブルの各要素が、ＰＲＢが例えば多重化の左側から右側へと記述されるチャネルにおけるＰＲＢに対応するテーブルを伝送するものである。割り当てられたすべてのＰＲＢについて、対応するエントリーは、少なくとも１つのストリーム識別子を含む。この場合、割り当てられたＰＲＢの個数がいくらあろうとも、シグナリングビットの数は同じに維持される。第２の手法では、シグナリングは、現在のシグナリング期間において割り当てられたＰＲＢの個数に等しいエントリーの個数を有するテーブルから作成される。各エントリーは、ストリーム識別子及びバイナリワードを含む。このバイナリワードは、チャネルのＰＲＢの個数と等しい長さを有し、ストリームによって占められている位置は１に、それ以外の位置は０に設定される。分散型伝送の場合、シグナリングは、ストリームが分散型ＰＲＢ上に割り当てられる方法に依存して急速に増加する場合がある。非常に便利な手法は、分散型ＰＲＢの個数ＮＤ−ＰＲＢと等しい（又はそれ未満の）、分散型モードとして伝送されるＫ個のストリームを作成することである。分散型ストリーム、例えば分散型ＰＲＢを使用して伝送されるストリームの割り当ては、この場合、局所型ストリーム、例えば局所型ＰＲＢを使用して伝送されるストリームに対するのと同様に達成することができる。この割り当てにおいては、第１の分散型ＰＲＢに割り当てられたストリームは、各分散型ＰＲＢの第１のスライスを占め、以下も同様に占められる。このような規則を使用すると、局所型トラフィック用の標準的なシグナリングに加えて、分散型ＰＲＢの位置を示すことのみが必要とされる。このような解決法の説明を簡単にするために、ＶＲＢと表記される仮想資源ブロックの概念を導入することが一般的である。チャネル内のＶＲＢの個数は、ＰＲＢの個数と等しい。各ストリームは、各伝送間隔において、１つ又は幾つかのＶＲＢに割り当てられていく。或るストリームが、局所型ＰＲＢの位置に対応するＶＲＢ、又は、Ｌ−ＶＲＢと表記される局所型ＶＲＢ上に割り当てられると、そのストリームは、局所型モードにより、同じ位置のＰＲＢで伝送される。或るストリームが、分散型ＰＲＢの位置に対応するＶＲＢ、又は、Ｄ−ＶＲＢと表記される分散型ＶＲＢ上に割り当てられると、そのストリームは、分散型モードで伝送され、そのストリームでは、各Ｄ−ＰＲＢにおいてそのストリームが占める位置は、チャネルのすべてのＤ−ＰＲＢ中でのそのＤ−ＰＲＢのランクによって定められる。この手法は、テーブルベースの技法の場合の図３に示されている。この図は、図２に示すマッピングのシグナリングテーブルに対応している。ここで、Ｓｍ、Ｓｎ、及びＳｏは局所型ストリームである。
【００４２】
一方、この手法を、ＰＲＢをスライスにセグメント化することと組み合わせることによって、分散型ＰＲＢに割り当てることができるストリームの個数は、ＰＲＢのサブキャリアの個数Ｍに制限される。提案される発明については、同じシグナリング手法を維持しながら、Ｄ−ＰＲＢの個数に等しい任意の個数のストリームのマッピングをサポートするようにこの方法を拡張することができる。しかし、ストリームの個数が、個数Ｍを超える場合、すべてのストリームは、同じ一組のＤ−ＰＲＢ内でマッピングされなくなり、したがって、ストリーム間でダイバーシティ利得が等しくなくなる。加えて、ストリーム間で等しいダイバーシティを得るには、Ｄ−ＰＲＢの個数は、Ｍの約数としてしか選択することができない。この場合、すべてのストリームは、各Ｄ−ＰＲＢ内で同じ個数の位置を占める。より細かな粒度を得るには、異なるＤ−ＰＲＢ内のスライスのサイズを等しくないように選択しなければならず、したがって、ダイバーシティ利得は等しくなくなる。
【００４３】
ＰＲＢは、図４ａに示すように、参照パイロット又はシグナリングに占用されたシンボル位置を含むことができる。４．１で参照されるこれらのシンボル位置又はサブキャリア位置を、以降では禁止シンボル（forbidden symbol）と呼ぶ。実際のデータ伝送に自由に使用できるシンボルは、４．２で参照される。禁止シンボルが異なるスライス内で等しく拡散されていない場合、所与のストリーム用に利用可能なシンボルの個数は、割り当てに応じて等しくならないことがある。これにより、システムは、ＰＲＢへのストリームの位置に応じて、異なるＰＤＵサイズ及びＢＤＵサイズを取り扱うことが必要になる。これは、常に同じスライスでＢＤＵをマッピングする解決法についての図４ｂ及び図４ｃによって示されている。これらの図では、４．３で参照されるストリームＳｉが、総数６８個のシンボルを得ることが分かる。４．４で参照されるストリームＳｋは、総数７４個のシンボルを得る。別の解決法は、一定のサイズを使用し、禁止シンボルの位置上にマッピングされるべきであったシンボルをパンクチャすることである。レートマッチングとしても知られているこの解決法は、柔軟ではあるが、ストリームの割り当てに応じて性能レベルが異なることがある。
【００４４】
≪3GPP-LTE R1-060095,「E-UTRADL − Localized and distributed transmission」, Ericsson≫に提案された方法を、この問題点を克服するように工夫することができる。この解決法では、ＮＤ−ＰＲＢ個のＤ−ＰＲＢのそれぞれが、同じ個数のサブキャリアを有するＮＤ−ＰＲＢ個のスライスに分割される。上述した手法との相違は、ストリームがスライス内でマッピングされる方法である。各ストリームの位置は、各ＰＲＢ内の同じスライスに割り当てられるのではなく、次のＰＲＢに切り換わる時に１スライスのシフトが行われる。図５に示すように、このシフトは、Ｄ−ＰＲＢ内にすべてのストリームを保持するためにモジュロ演算に従って達成される。この図では、マッピングオペレーション５．４によって３つのＰＲＢ５．５、５．６、及び５．７にマッピングされる３つのストリーム５．１、５．２、５．３を見ることができる。第１のストリーム５．１は、第１のＰＲＢ５．５の第１のスライス５．８、第２のＰＲＢ５．６の第２のスライス５．１２、及び第３のＰＲＢ５．７の第３のスライス５．１６上にマッピングされる。第２のストリーム５．２は、第１のＰＲＢ５．５の第２のスライス５．９、第２のＰＲＢ５．６の第３のスライス５．１３、及び第３のＰＲＢ５．７の第１のスライス５．１４上にマッピングされる。第３のストリーム５．３は、第１のＰＲＢ５．５の第３のスライス５．１０、第２のＰＲＢ５．６の第１のスライス５．１１、及び第３のＰＲＢ５．７の第２のスライス５．１５上にマッピングされる。
【００４５】
ストリームをＰＲＢ上に割り当てるための簡単化されたシグナリングを維持することは依然として可能である。「テーブルベース」手法の場合には、分散型ＰＲＢ上へのストリーム識別子の位置は、ストリームの第１のスライスが、どのＰＲＢにおいてＤ−ＰＲＢの第１のスライス上にマッピングされているのかを示す。この手法のおかげで、各ストリームは、ＰＲＢのすべての位置を占める。すべての分散型ＰＲＢが禁止シンボルの同じパターンを共有する限り、すべてのストリームは、同じ個数のシンボルを占める。したがって、ＢＤＵサイズは、第１のＤ−ＰＲＢにおけるストリームの位置に依存しない。ＢＤＵサイズは、局所型割り当てでも分散型割り当てでも同じであるので、チャネル状態に応じて２つのモード間で伝送を容易に切り換えることが可能である。
【００４６】
スペクトル効率を最適化するために、チャネル推定に専用化されたパイロットを、すべてのサブキャリア上に挿入できるとは限らず、等間隔のサブキャリアのサブセット上にのみ挿入することができる。この場合、復調に使用されるチャネル推定の精度は、周波数領域におけるサブキャリアの位置に依存する場合がある。上述の手法を使用すると、各ストリームには、ＰＲＢ内のすべての周波数が「見える」。パイロットがすべてのＰＲＢ内に等しく拡散されている場合、すべてのストリームは、全体的に、チャネル推定誤差の点で等しく劣化を受ける。しかしながら、この手法は、すべてのストリームについて同じダイバーシティ利得を有するという制約条件の下で、依然として、一組のＰＲＢ内でサポートされるストリームの個数をＭ個に制限している。加えて、上述の解決法と同様に、ＰＲＢが、一組のサブキャリア上で深いフェードを受ける場合、削減された一組のＰＲＢ上への分散の場合には、性能が大幅に劣化するおそれがある。
【００４７】
次に、上述した状況において、本発明を説明する。図６は、提案されるマッピングオペレーションの全体的なアーキテクチャを与えている。各伝送間隔にわたって、ＰＤＵ６．１を符号化した結果である変調シンボルは、セグメント化及び場合によってはパディングによって、ブロックデータユニット（ＢＤＵ）６．３と呼ばれるＤ−ＰＲＢ６．６内でマッピングされるパケットに割り当てられる（６．２）。最初に、ＰＲＢが禁止シンボルを含まないものと考える。各ＢＤＵ６．３は、Ｓ（≦Ｒ）個のＭアレイシンボル（M-ary symbols）から作成される。ここで、Ｒ＝Ｍ×Ｎは、Ｍ個のサブキャリア及びＮ個のシンボル時間から成るＰＲＢでの伝送において利用可能な位置の最大個数である。分散型ＰＲＢの個数ＮＤ−ＰＲＢは、個数Ｌに等しくなるように選ばれる。ここで、Ｌ≦ＮＰＲＢである。本発明は、Ｌ個の分散型ＰＲＢ６．６の組内への、Ｋ（≦Ｌ）個のＢＤＵ６．３の分散型マッピングを達成する。一般性を維持するために、Ｌ−Ｋ個の残りの割り当てには、空値（null）として識別される空値ＢＤＵが与えられるものと仮定する。分散されるＢＤＵの組内のＬ個のＢＤＵには、０〜Ｌ−１の番号が付けられる。異なるストリームのＬ個のＢＤＵ上への第１の割り当て６．２は、例えば第１のブロック等において、任意の適切な方法に従って達成される。各ＢＤＵ内では、０〜Ｓ−１の番号がシンボルに付けられる。ＢＤＵのマッピングは、２つのステップで達成されるとみなすことができる。最初に、異なるＢＤＵのシンボルが、共に多重化されて（６．４）、分散型ＢＤＵ６．５と呼ばれる新しいＬ個のシンボルパケットの組が形成される。この分散型ＢＤＵはＤ−ＢＤＵで示される。この多重化の目的は、１つのＢＤＵ６．３のデータを、大きなダイバーシティを有する分散型ＢＤＵ６．５上に拡散することである。次に、各Ｄ−ＢＤＵは、伝送用に実際のＤ−ＰＲＢ上にマッピングされる。Ｄ−ＢＤＵのＤ−ＰＲＢ上への最終的な割り当ては、単に第１のＤ−ＢＤＵを第１のＤ−ＰＲＢ（最低の周波数）上にマッピングする等の任意の適した規則に従って達成することができる。２ステップ手順としてのこの方法の説明は、明確にするために利用されるものである。２つの演算は、ＢＤＵからのＤ−ＰＲＢへのシンボルの宛先を直接計算することにより、一括して容易に行うことができる。
【００４８】
本発明の３つの実施形態を、多重化ステップで使用される異なる多重化規則にそれぞれ基づいて説明する。ＢＤＵ内のデータは、そのインデックス（ｉ，ｊ）によって識別される。ここで、０〜Ｓ−１のｉは、ＢＤＵ内におけるデータのランクを表し、０〜Ｌ−１のｊは、ＢＤＵのランクを表す。Ｄ−ＢＤＵ内のデータは、そのインデックス（ｋ，ｌ）によって識別される。ここで、０〜Ｓ−１のｋは、Ｄ−ＢＤＵ内におけるデータのランクを表し、０〜Ｌ−１のｌは、ＢＤＵのランクを表す。
【００４９】
第１の実施形態は、
ｋ＝ｉ、及び
ｌ＝（ｉ＋ｊ）ｍｏｄ  Ｌ
である場合の、ＢＤＵのインデックス（ｉ，ｊ）のデータがＤ−ＢＤＵにおいてインデックス（ｋ，ｌ）に配置される多重化規則に基づく。
【００５０】
第２の実施形態は、ＬがＳの約数である場合において、
ｋ＝（ｉ＋ｊ）ｍｏｄ  Ｌ＋［ｉ／Ｌ］＊Ｌ、及び
ｌ＝ｉ  ｍｏｄ  Ｌ
である場合の、ＢＤＵのインデックス（ｉ，ｊ）のデータがＤ−ＢＤＵにおいてインデックス（ｋ，ｌ）に配置される多重化規則に基づく。
【００５１】
第３の実施形態は、ＬがＳの約数である場合において、
ｋ＝（ｉ＋ｊ）ｍｏｄ  Ｓ、及び
ｌ＝ｉ  ｍｏｄ  Ｌ
である場合の、ＢＤＵのインデックス（ｉ，ｊ）のデータがＤ−ＢＤＵにおいてインデックス（ｋ，ｌ）に配置される多重化規則に基づく。
【００５２】
第１の実施形態では、ランクｊのＢＤＵの最初のシンボルは、ランクｊのＤ−ＰＤＵ内でマッピングされる一方、第２の実施形態及び第３の実施形態では、最初のシンボルは、常に第１のＤ−ＢＤＵ内でマッピングされる。図７は、Ｌ＝３及びＳ＝１２を有する多重化規則を示している。図７ａは第１の実施形態を示し、図７ｂは第２の実施形態を示し、図７ｃは第３の実施形態を示している。本発明のこれら実施形態は、直接割り当てを使用する。この直接割り当てでは、第１のＤ−ＢＤＵが第１のＤ−ＰＲＢに割り当てられ、第２のＤ−ＢＤＵが第２のＤ−ＰＲＢに割り当てられ、以下同様に割り当てられる。加えて、各Ｄ−ＢＤＵのシンボルは、任意の規則に従って、割り当てられたＤ−ＰＲＢの２Ｄアレイ内でマッピングされる。図８は、典型的な例である時間又は周波数における線形マッピング又はスネークマッピング（snake mapping）を示している。図８ａは、時間における線形マッピングに対応し、図８ｂは、周波数における線形マッピングに対応し、図８ｃは、時間におけるスネークマッピングに対応し、図８ｄは、周波数におけるスネークマッピングに対応する。第１の実施形態では、Ｄ−ＰＲＢの個数を、Ｌ≦ＮＤ−ＰＲＢである任意の値Ｌに設定することができる。ここで、ＬはＰＲＢ内で利用可能な位置の最大数Ｒよりもさらに大きい。これによって、柔軟性がさらに提供されるが、この場合、すべてのＢＤＵは、すべてのＤ−ＰＲＢにマッピングされるとは限らず、したがって、ダイバーシティ利得は等しくなくなる。ＬがＲよりも小さい限り、すべてのＢＤＵは、すべてのＤ−ＰＲＢ内に幾つかの位置を占めるが、必ずしも同じ個数ではない。これは、ＬをＳの約数になるように選択することによって得ることができる。提案される手法の１つの利点は、Ｒが多くの場合Ｍよりも大きいので、Ｄ−ＰＲＢの個数についてはるかに多くの数の解決法を可能にすることである。もう１つの利点は、変調シンボルレベルで達成されたマッピングに起因するものであり、したがって、ダイバーシティ利得が増加する。
【００５３】
次に、禁止シンボルを含むＰＲＢ内でのマッピングをどのように取り扱うかについて提示する。第１の手法では、すべてのＤ−ＰＲＢが、所与の個数ＮＦＳの禁止シンボルの同じパターンを共有する場合を検討するものとする。問題点は、この個数が、半静的に変化する場合もあるし、時間間隔ごとに動的に変化する場合もあるということである。この個数は、例えば、基地局の送信アンテナの個数に依存する基準シンボルの個数に対して相対的なものである。これらの状況では、パラメータＳを異なる方法で設定することができる。最初に、禁止シンボルの有効な個数を考慮に入れて、ＰＲＢで実際に利用可能なシンボルの正確な個数と等しくなるようにパラメータＳを選ぶことができる。この手法によって、スペクトル資源の使用が最適化されるが、幾つかのブロックサイズを取り扱うことが必要となる。もう１つの手法は、利用可能なシンボルの有効な個数に依存しない固定値に等しくなるようにＳを設定することである。利用可能な有効なシンボルの個数がこの値未満である場合、参照シンボルの位置に対応するデータは、単にパンクチャすることができる。他方、利用可能な有効な位置の個数がＳよりも大きい場合、残りの位置は、０に変調することもできるし、他の種類のトラフィックを運ぶのに使用することもできる。これによって、禁止シンボルの有効な個数ＮＦＳ、禁止シンボルの最大個数ＮＦＳｍａｘ、及び禁止シンボルの最小個数ＮＦＳｍｉｎに依存する３つの異なる状況が主にもたらされる。
【００５４】
ＢＤＵのサイズＳが、Ｒ−ＮＦＳよりも大きくなるように選ばれた場合、Ｄ−ＢＤＵは、マッピングされるシンボルを、Ｄ−ＰＲＢ内の利用可能な位置よりも多く含む。幾つかのシンボルをパンクチャしなければならない。これは、ＳがＲ−ＮＦＳｍｉｎよりも大きくなるように選ばれた場合に常に当てはまる。
【００５５】
ＢＤＵのサイズＳが、Ｒ−ＮＦＳよりも小さくなるように選ばれた場合、Ｄ−ＢＤＵは、マッピングされるシンボルを、Ｄ−ＰＲＢ内の利用可能な位置よりも少なく含み、したがって、未使用の位置が残る。これらの位置は、ボイド値（void value）に設定することもできるし、他の種類のトラフィックを運ぶのに使用することもできる。これは、ＳがＲ−ＮＦＳｍａｘよりも小さくなるように選ばれた場合に常に当てはまる。
【００５６】
ＢＤＵのサイズＳが、Ｒ−ＮＦＳに等しくなるように選ばれた場合、Ｄ−ＢＤＵは、マッピングされるシンボルを、Ｄ−ＰＲＢ内の利用可能な位置と正確に同じ個数だけ含む。パンクチャは必要とされず、ボイド位置は生成されない。
【００５７】
禁止シンボルの個数が、すべてのＤ−ＰＲＢで同じであるが、同じ位置を占めていない場合、少なくとも３つの解決法を検討することができる。第１の解決法は、すべてのＤ−ＰＲＢが禁止シンボルの同じパターンを共有する場合と同様にＤ−ＢＤＵをマッピングし、禁止シンボル上にマッピングされるシンボルを単にパンクチャすることにある。この場合、すべてのＤ−ＢＤＵは、依然として、Ｌ−ＰＲＢの場合のようにすべての位置を占めているが、幾つかのＢＤＵはパンクチャされ、他のＢＤＵが、性能レベルが異なる事態をもたらすことはない。第２の解決法は、同じＰＲＢマッピング規則を使用して、利用可能な位置上にシンボルをマッピングすることである。この手法の限界は、すべてのＤ−ＢＤＵがもはや同じ位置を占めないということである。第３の解決法は、第１のオプションと同様に動作するが、禁止位置上にマッピングされるべきシンボルを、新しく利用可能な位置上にマッピングする。これら３つの選択肢は、Ｍ＝Ｎ＝４、Ｋ＝Ｌ＝３、ＮＦＳ＝４、及びＳ＝１２の場合として図９に示されている。この図は、３つのＤ−ＢＤＵ９．１、９．２、９．３の、３つのＤ−ＰＲＢ上へのマッピングを示している。第１の解決法は、３つのＤ−ＰＲＢ９．１１、９．１２、及び９．１３のマッピングによって示されている。ここで、第２のＤ−ＰＲＢは、網掛け位置として表された禁止シンボルの位置が異なることが分かる。この第１の解決法では、「Ｐ」で参照される第４のシンボルがパンクチャされることになる。この第４のシンボルは、禁止シンボルにマッピングされたものである。一方、「Ｖ」としてマーキングされたＤ−ＰＲＢの第２の位置はボイドである。第２の解決法は、Ｄ−ＰＲＢ９．２１、９．２２、及び９．２３によって示されている。Ｄ−ＰＲＢ９．２２についてわずかに異なるマッピングを行うという犠牲を払うことによって、利用可能なすべての位置が使用されていることがわかる。第３の解決法は、Ｄ−ＰＲＢ９．３１、９．３２、及び９．３３によって示される。全体的に、第１の解決法と同じマッピングが維持されているが、第４のシンボルは、パンクチャされる代わりにボイド位置にマッピングされている。
【００５８】
禁止位置の個数が、すべてのＤ−ＰＲＢで同じでない場合、或るＤ−ＰＲＢにおける禁止位置の最大個数をＮＦＳｍａｘとして採用して、同じ手順を適用することができる。この場合、すべてのＤ−ＰＲＢではなく一部のＤ−ＰＲＢにおいて、特定のＤ−ＰＲＢごとの禁止位置の有効な個数に応じて、幾つかの位置がパンクチャされるか又は残される。
【００５９】
提案される方法は、ＭＩＭＯ符号化シンボルの効率的なマッピングをサポートするように容易に変更することができる。ここでは、所与の個数のシンボルについて同じチャネル状態から利益を得ることが必要とされる。たとえば、アラモウチ（Alamouti）方式の場合、Ｄ−ＰＲＢ内で、各ペアの２つの要素を隣接した状態にすることが非常に重要である。これは、偶数値のＳを有するＢＤＵの変調シンボルを多重化し、次いで、時間又は周波数のいずれかにおいてスネーク(snake)を適用することにより達成することができる。より一般的には、特定の伝送方式によって必要とされるような任意のサイズのシンボルのグループをマッピングするように、提案される発明を適用することができる。
【００６０】
提案される発明の利点は、たとえＰＲＢ構造がそれ自体規則的ではなくても、すべてのＤ−ＰＲＢにおいてマッピングされたシンボル内で規則性が維持されることである。これは、ストリームの多重化がデータのマッピングから独立して行われることによるものである。これによって、各ストリームのシンボルの位置を求める不必要な試験を回避するような実施が大幅に容易になる。
【００６１】
換言すれば、Ｄ−ＰＲＢが所与の個数の禁止シンボルを必ずしも同じではない位置に有すること、及び幾つかのＤ−ＰＲＢが追加の禁止シンボルを有することを考慮して、利用可能なシンボルの個数Ｓは、禁止シンボルの共通の個数だけ削減されたＤ−ＰＲＢのシンボルの総数として設定されるか、又はその総数未満に設定される。Ｄ−ＰＲＢの個数は、場合によってはＳの約数であるＬに設定される。各Ｄ−ＢＤＵは、禁止シンボルを除くＤ−ＰＲＢのすべての位置を１度だけカバーする規則に従ったシンボルのアレイとして記述される。この規則は、各Ｄ−ＰＲＢ内で異なる可能性がある。データストリームは、Ｓ個のシンボルのパケットであるＢＤＵにセグメント化される。マッピングは、上述した規則に従って、ストリームの多重化と共にＤ−ＰＲＢ内で適用され、選択された規則によって記述されたパスに従ってＤ−ＰＲＢ内でマッピングされる。追加の禁止シンボルに遭遇すると、対応するデータはパンクチャされる。残った位置は、ボイドのままにされ、他の目的に使用される。
【００６２】
提案される技法の鍵となるものは、すべてのＤ−ＢＤＵが同じ規則に従ってＤ−ＰＲＢ内でマッピングされ、且つ、Ｄ−ＰＲＢが禁止位置の同じパターンを共有する場合には、すべての分散型ＢＤＵが、全体的に、Ｄ−ＰＲＢ内において同じ一組の位置を占めるということである。この一組の位置は、同じマッピングによる局所型ＰＲＢにおけるものと同じである。局所型ＰＲＢ及び分散型ＰＲＢのサイズは同じであるので、チャネル状態に応じて分散型モードから局所型モードへ切り換えることが可能である。これによって、システムが、割り当てモードに応じて２つの異なるペイロードサイズを取り扱うことも回避される。散在したパイロットによって達成されるチャネル推定における誤差の影響も、異なるストリーム間で等しく拡散される。また、この方式は、たとえばテーブルベース解決法を使用する簡単化されたシグナリング手法と両立することもできる。たとえば、第１の多重化規則では、Ｄ−ＰＲＢの中で割り当てられたＶＲＢの位置は、割り当てられたストリームが、選択されたマッピングに従って、どのＤ−ＰＲＢにおいて第１の位置を占めるのかを示す。本発明によって、より良好なダイバーシティから利益を得ることが可能になり、また、割り当てられたストリームの個数が増加することによって、同じレベルのダイバーシティから利益を得ることが可能になる。また、本発明によって、ダイバーシティの同じ制約条件下で、分散型トラフィックに専用化されたＰＲＢの個数及び位置を動的に変更することも可能になる。たとえば、第１の多重化法則の場合、ＰＲＢ内のマッピングされたシンボルの個数の約数をすべて選択することが可能である。等しいダイバーシティという制約条件を少し緩和すると、ＰＲＢの個数を、ＰＲＢ内への位置の総数未満の任意の値に変更することさえも可能である。提案される発明のおかげで、すべてのＤ−ＰＲＢは、特定のストリームに対応するすべてのシンボルが時間及び周波数の双方においてマッピングされることによる固有の周波数ダイバーシティから利益を得る。物理資源ブロック内において、各サブキャリアが異なるストリームからのデータを運び、各シンボル時間中に異なるストリームからのデータを伝送することにより、異なるストリームからのデータを、幾つかの物理資源ブロック上に拡散することが可能になる。Ｄ−ＰＲＢの位置が動的であり、且つ、マッピング規則が各ＰＲＢ内で異なるものである場合には、Ｄ−ＰＲＢの位置を示すことが必要となる。マッピング規則がすべてのＤ−ＰＲＢ内で同じであり、且つ、禁止シンボルの位置が同じである場合、すべてのストリームは、パンクチャされるシンボルを除いて、Ｄ−ＰＲＢのすべての位置を占め、これによって、すべてのストリームのチャネル推定及び簡単化された実施態様による均一な劣化がもたらされる。
【００６３】
本発明の幾つかの実施形態では、物理資源ブロックのサイズ、Ｄ−ＢＤＵからＤ−ＰＲＢへの多重化規則及びマッピング規則の選択、並びに禁止シンボルの特定の位置が、１つのストリームからのデータがＤ−ＰＲＢ内の全部のサブキャリア又は全部のシンボル時間を占める結果につながるような特定の構成は廃棄される。サブキャリア上又はシンボル時間中の深いフェージングの影響が所与のストリームに集中するような状況を禁止するために、パラメータの幾つかの変更が行われる。
【００６４】
提案される発明の１つの利点は、特に局所型伝送をサポートするシステムの実装の点で複雑さが低いことにある。本発明を、ＯＦＤＭＡマルチユーザセルラーシステムへ適用することを考えることにする。上述したように、データは、通常、ＴＴＩで伝送されるＰＤＵとして物理層に提供される。ここで、ＰＤＵには、所与の個数のＶＲＢが割り当てられる。一般的な一手法は、ＰＤＵを符号化して、各伝送間隔にわたり、結果のシンボルをメモリに記憶することである。このメモリは、伝送間隔内でのＶＲＢの個数に対応するより小さなメモリのバンクとして編成されている。この操作は、ＰＤＵのＢＤＵへのセグメント化に対応する。ＯＦＤＭシステムの重要な機能は、各シンボル長にわたって変調されるＯＦＤＭ多重を構築するフレーミングモジュール(framing module)によって行われる。ＯＦＤＭ多重、したがってＰＲＢは、多くの場合、左から右へ（周波数の昇順又は降順で）サブキャリアを通って、ＯＦＤＭシンボルごとに且つ各ＯＦＤＭシンボル内で構築される。１つの問題点は、ＰＲＢ内でのＢＤＵのマッピングを達成することである。まず、局所型伝送の場合を考えることにする。マッピングは、単純には、たとえばチャネルの或る静止性（stationnarity：定常性）から利益を得るために、ＰＲＢのデータについて利用可能なすべての位置をカバーする方法である。これは、ダイバーシティを最大にするために、ＰＲＢ内でデータを拡散するための解決法とすることもできる。この操作は、１次元（１Ｄ）アレイ、すなわちＢＤＵの内容を、２ＤアレイであるＰＲＢ内へマッピングすることにある。実装に際して、マッピングは、異なる方法で適用することができる。第１の方法は、マッピング規則に従って、ＰＲＢ構造に対応する２ＤアレイにＢＤＵの内容を記憶することである。この場合、１つの伝送間隔の待ち時間により、新しいＯＦＤＭシンボルごとに行単位で２Ｄアレイにアクセスして、ＯＦＤＭシンボルを構築することができる。ＯＦＤＭシンボルが構築されるこの方法によれば、ＰＲＢは、ＰＲＢを時間領域でスライスすることによって得られる１Ｄアレイの連結である１Ｄアレイとみなすことができる。これは、平坦化ＰＲＢ（flattened PRB）として記述される。その結果、マッピングは、２つの１Ｄアレイ間のインターリービング規則とみなすことができる。マッピングは、平坦化ＰＲＢの位置ごとに、その位置上にマッピングされるＢＤＵサンプルのアドレスを記憶するテーブル（通常はＲＯＭ）を使用して簡単に達成することができる。この手法によって、実際の伝送前に、まずＢＤＵでＰＲＢを構築する必要なしに、２Ｄマッピングを適用することが可能になる。インターリービングアレイの原理を使用すると、ＰＲＢをＯＦＤＭシンボルごとに構築することができ、したがって、待ち時間及びメモリの所要量が削減される。
【００６５】
分散型トラフィックをサポートする異なる手法を構想することができる。基地局側において、簡単な手法は、２ステップ手順として本発明を適用することである。分散型ストリームに対応するＢＤＵが、まず、共に多重化されて、次に、その結果のＤ−ＢＤＵは、任意のマッピング規則に従ってＤ−ＰＲＢにマッピングすることができる。次に、フレーミングモジュールが、局所型トラフィックの場合と同様に、ＯＦＤＭシンボルを構築することができる。移動端末側において、基本的な手法は、２重操作(dual operation)を行うことである。しかし、これは、すべてのＤ−ＰＲＢに関連付けられたデータを記憶し、次に、逆多重化操作を行うことを必要とする。実際には、デフレーミングモジュールが、ＯＦＤＭシンボルごとに、選択されたストリーム（１つ又は２つ以上のＢＤＵ）についてのみデータの抽出を行うことができる。まず、局所型ＰＲＢの場合を考えることにする。受信機は、ＰＲＢのデマッピングを行わなければならない。これは、ＰＲＢの各シンボルの対応するＢＤＵのアドレスをＲＯＭに単に記憶することによって行うことができる。次に、各部分帯域及び各ＯＦＤＭ期間にわたってシンボルにアクセスする時に、受信機は、それらシンボルを、対応するＢＤＵバンクの正しい位置に直接記憶することができる。同種の手順は、分散型トラフィックについても適用することができる。まず、抽出されるＶＲＢに対応するＰＲＢを考えることにする。第１の多重化手法を有するこのＰＲＢでは、ストリームは、選択されたマッピング規則に従って、ＰＲＢの第１の位置を占める。また、ストリームは、選択されたマッピング規則に従い、ＰＲＢにおいて、ＰＲＢ位置を通るＮＤ−ＰＲＢ個離れたすべての位置を占める。局所型トラフィックの場合と同様に、受信機は、各ＰＲＢシンボルのＢＤＵにおける位置を知ることができる。分散型トラフィックの場合に必要とされることは、シンボルが、抽出されるストリームに関連付けられているか否かを判断することである。Ｄ−ＰＲＢの個数を法として、サンプルのＤ−ＢＤＵの位置（マッピングＲＯＭの内容）を単に除算することによって、結果が０であるすべてのシンボルは、抽出されるストリームに関連付けられる。その後、デフレーミングによって、対応するサンプルが、対応するＢＤＵの正しい位置に記憶される。この操作は、ＯＦＤＭシンボル単位でＤ−ＰＲＢのすべてのデータシンボルについて行うことができる。同じ手順は、他のＤ−ＰＲＢにも適用することができる。例えば、第１の多重化規則では、チャネルの第２のＤ−ＰＲＢに対応するＶＲＢ上に割り当てられたＢＤＵについて、第１のシンボルは、第２のＤ−ＰＲＢの第１の位置に記憶され、第２のシンボルは、次のＤ−ＰＲＢの第２の位置に記憶され、以下同様に記憶される。各Ｄ−ＰＲＢでは、ユーザは、選択されたマッピング規則に従い、ＰＲＢにおいて、ＰＲＢ位置を通る、ＮＤ−ＰＲＢ個離れたすべての位置であるが、すべてのＤ−ＰＲＢの中でのＤ−ＰＲＢのランクに応じた特定のオフセットを有する位置を常に占める。これらのＤ−ＰＲＢでは、モジュロ除算の結果がもはや０を与えないが、正しいシンボルの選択は、Ｄ−ＰＲＢに関連付けられたオフセットの位置を調べてる��とにより行われる。このようにＯＦＤＭシンボルごとに且つサブキャリアごとの各ＯＦＤＭシンボル内においてすべてのＤ−ＰＲＢを調べると、ストリームに関連付けられたシンボルを抽出することが可能である。その結果、局所型トラフィックと比較したオーバーヘッドは、主として、モジュロ除算演算にある。同様の手順は、ＢＤＵからＤ−ＰＲＢを構築する送信側にも適用できることに気付く。
【００６６】
この実施態様は、データが、第１の多重化規則及び周波数における線形マッピングに従って、すべてのＤ−ＰＲＢにおいて同じ方法でマッピングされるときには、さらに簡単になる。まず、局所型マッピングの場合を考えることにする。線形マッピングでは、データは、平坦化ＰＲＢにマッピングされるのと同様にしてＢＤＵに記憶される。次に、ＢＤＵを含むメモリからＤ−ＰＲＢのフレーミングを直接達成することができる。ここで、メモリは線形に読み出される。分散型トラフィックの場合、例えば第２のＤ−ＰＲＢに対応するＶＲＢに割り当てられたストリームは、Ｄ−ＰＲＢの個数を法として、このＤ−ＰＲＢでは第１の位置を占め、次のＤ−ＰＲＢでは第２の位置を占め、以下同様にＤ−ＰＲＢでの位置を占めていく。したがって、このマッピングは、局所型ＰＲＢの場合と同様に適用することができるが、マッピングされる新しいシンボルごとに次のＤ−ＰＲＢにシフトしていく。ただし、ＰＲＢの各スライスにおける利用可能なデータ位置の個数に対してである。この手法では、ストリーム多重化及びマッピングは、一緒に達成される。マッピング及びフレーミングも、Ｄ−ＰＲＢ単位で達成することができる。すなわち、１回のパスにおいて、各Ｄ−ＰＲＢの各タイムスライスがマッピングされる。これは、多重化されるストリームのＢＤＵを線形にアクセスすることにより行えるが、マッピングされる新しいシンボルごとにＢＤＵを１つだけシフトして行う。同様の手順は、受信側にも適用することができる。例えば、第２のＤ−ＰＲＢに対応するＶＲＢに割り当てられたストリームに対して、受信機は、ＰＲＢの第１のスライスにおけるデータの利用可能な位置の個数について、このＤ−ＰＲＢの第１のシンボルを読み出し、次に、局所型トラフィックの場合のように同じＰＲＢではなく、第２のＤ−ＰＲＢの第２のシンボルを読み出し、以下同様にＰＲＢの１番目のスライスの利用可能な位置の個数分、読み出しを行う。その後、同じ手順は、第２のＯＦＤＭシステム等についても適用することができる。
【００６７】
本発明によって、セルラーネットワークにおけるセル間干渉を緩和することも可能になる。このようなシステムでは、近傍のセルからの信号が互いに干渉する。分散型伝送のマッピングがすべてのセルで同じ場合、セル間干渉が十分にランダムでない場合があり得る。たとえば、同じＰＲＢがすべてのセルで分散型トラフィックに割り当てられ、これらのＰＲＢ上のＤ−ＶＲＢのマッピングが同じ方法で行われる場合、或るＤ−ＶＲＢは、近傍のセルのＤ−ＶＲＢによって干渉を受ける。干渉するＤ−ＶＲＢが割り当てられない場合、干渉はゼロであり、干渉するＤ−ＶＲＢが低電力で受信される場合、干渉は低電力を有し、干渉するＤ−ＶＲＢが高電力で受信される場合、干渉は高電力を有する。ここでダイバーシティは大幅に喪失する。他方、Ｄ−ＶＲＢが、近傍のセルの多くのＤ−ＶＲＢからのシンボルによる干渉を受ける場合、干渉電力は、多くのＤ−ＶＲＢの受信電力を平均したものとなる。ダイバーシティは増加し、干渉を受けるセルのすべてのＤ−ＶＲＢは、平均干渉電力を受ける。強く干渉を受けるＤ−ＶＲＢ、わずかに干渉を受けるＤ−ＶＲＢ、及び干渉を受けないＤ−ＶＲＢはもはや存在しない。セル間干渉は、ランダム化され、したがって、Ｄ−ＶＲＢにわたって平均される。セル間干渉のこの所望のランダム性を得るために、分散型伝送のマッピングをセルごとに好都合に変化させることができる。一般的な方法は、マッピング後に周波数ホッピングを追加することである。すなわち、マッピング後に、セルに特有で且つ例えばセル識別情報（ＩＤ又はセルシグネチャ）から求めることができる方法でデータシンボルを並べ替えることである。
【００６８】
第１の多重化規則の場合、パラメータｓを導入することによって、提案されるマッピングを変更することができる。このパラメータｓはセル特有のものである。Ｄ−ＰＲＢの個数を法として、２つの連続したＰＲＢで送信される所与のＤ−ＶＲＢの２つの連続したデータを有する代わりに、第１のデータは、第１のＰＲＢで常に送信されるが、第２のデータは、Ｄ−ＰＲＢの個数を法として２つのＰＲＢのシフトを有する連続したＰＲＢで送信される。これは、マッピング手順を直接的に変更することによって、セル間干渉をランダム化する。本発明のこの実施形態は、
ｋ＝ｉ、及び、
ｌ＝（ｉ＋ｊ＋ｓ）ｍｏｄ  Ｌ
である場合に、ＢＤＵのインデックス（ｉ，ｊ）のデータがインデックス（ｋ，ｌ）のＤ−ＢＤＵに配置される多重化規則に基づいている。
ここで、ｓは、１≦ｓ≦Ｌとなるようなセル特有の整数である。その結果、このセル特有の固定ステップサイズを使用することによって、Ｌ−１個の異なるマッピングが得られる。最良のマッピングは、ｓがＬに対して素である（a prime with L）場合に得られる。後者の場合、ｓの異なる値を、分散型マッピングに割り当てられたＰＲＢの異なる並べ替えと解釈できることを示すことができる。
【００６９】
３ＧＰＰコンソーシアムは、現在、長期的発展型（ＬＴＥ）検討項目の一部として、３ＧＰＰ無線アクセス技術の発展型を検討している［www.3gpp.com］。目標は、移動無線セルラーシステムの今後の世代に適した高データレートで低待ち時間のパケット最適化無線アクセス技術を定義することである。ＯＦＤＭＡ技法が、下りリンク伝送の候補として選択されている。デュプレックス方式及びフレームフォーマットの点で、幾つかの組み合わせが検討されている。ここで、０．５ｍｓの各サブフレームがそれ自体７つのＯＦＤＭシンボルから成る２０個のサブフレームから作成された１０ｍｓフレームにわたってデータが伝送される、共存問題を有しないＦＤＤオプションを考える。ＬＴＥシステムの特質は、異なるチャネル帯域幅をサポートして、幾つかのエリアで断片化されているように見えるスペクトル資源のより良い使用を可能にすることである。各基地局は、１．２５ＭＨｚ、２．５ＭＨｚ、５ＭＨｚ、１０ＭＨｚ、１５ＭＨｚ、又は２０ＭＨｚのチャネルで動作することができる。各ユーザ機器（ＵＥ）は、デフォルトにより２０ＭＨｚのチャネルで動作することができ、自身が接続される基地局帯域幅に自動的に適合する。ＦＤＭＡ接続方式によれば、ＯＦＤＭ多重は、１２個の連続したサブキャリアから作成された複数の部分帯域に分割され、したがって、周波数領域におけるＭ＝１２個のサブキャリア及び時間領域におけるＮ＝７個のＯＦＤＭシンボルから作成された物理資源ブロックの定義がもたらされる。したがって、ＰＲＢにおける利用可能な位置の最大個数は、Ｒ＝Ｍ×Ｎ＝８４に等しい。
【００７０】
ＰＲＢは、局所型モード又は分散型モードのいずれかでストリームに動的に割り当てることができる。したがって、本発明をＬＴＥシステムに適用することができる。提案される発明の柔軟性は、ＰＲＢの個数が１．２５ＭＨｚ帯域幅の６から２０ＭＨｚチャネルにおける１００まで変化するＬＴＥシステムに特に好都合である。ＰＲＢは、禁止シンボル、参照シンボル、及びシグナリングシンボルのうちの少なくとも２つの種類を運ぶことができる。参照シンボルの個数は、送信アンテナの個数に依存し、１つの送信アンテナについて１つのＰＲＢ当たり占有されるシンボルの個数は、最小で４個である。加えて、参照シンボルの位置は、サブフレーム内のすべてのＰＲＢにおいて同じである。その結果、提案される方法の特定の実施形態を適用するとき、すべての分散型ＵＥは、局所型ＰＲＢのようにすべての位置を占め、それに対応した利点を有する。本発明は、分散型伝送の実際の実施態様について高い柔軟性を提供する。
【００７１】
図１０は、本発明の特定の一実施形態の機能図を表している。まず、分散されるＢＤＵ１０．２が、選択された規則に従ってモジュール１０．３で共に多重化される。そのレベルでは、データは、ＯＦＤＭサブフレーム上へのデータの実際のマッピングとは何ら関係なく、単なる１次元ストリームとして操作される。このモジュール１０．３は、多重化において、Ｌ個の分散型ＰＲＢに対応するデータから成るＬ個のＢＤＵを提供する。次に、これらのＢＤＵは、局所型トラフィックと同様に操作することができる。したがって、局所型ＰＲＢに対応するストリーム１０．１及び分散型ＰＲＢに対応するストリームを、モジュール１０．４により、任意の適切な規則に従って多重化することができる。次に、モジュール１０．５により、これらの異なるＢＤＵを、ＰＲＢ構造を考慮に入れ、任意のマッピング規則に従って、２次元アレイとして編成することができる。次に、結果として生じるアレイの内容は、フレーミングモジュール１０．６が読み出すことができる。フレーミングモジュール１０．６は、適切なフレームフォーマットに従って、フレームの各ＯＦＤＭシンボルに関連付けられたＯＦＤＭ多重を構築する。
【００７２】
図１１は、２．５ＭＨｚ帯域幅の場合の、したがって１２個のＰＲＢをチャネルに有する、提案される方式の適用を示している。このシステムは、１つの送信アンテナしかサポートしないものと仮定する。パラメータＳは、１つのＰＲＢ当たり４つの参照シンボルを有するものとして、実際に利用可能な位置の個数に設定される。すなわち、Ｓ＝Ｒ−４＝８０個に設定される。分散型ストリームは、同じフォーマット、すなわち、周波数における線形の２Ｄマッピングと組み合わされた第１の多重化規則に従って、５つのＰＲＢ上にマッピングされる。Ｄ−ＰＲＢの位置は、テーブルベース手法に従って達成されるシグナリングで、サブフレーム単位で変更することができると仮定する。簡単化するために、シグナリングは、ＰＲＢの外部で伝送され、ＰＲＢが分散型であるか否かを示す１ビットとＵＥ識別子とに削減されるものと仮定する。局所型伝送の場合、ランクｉのシグナリングテーブルのエントリーは、同じランクのＰＲＢに割り当てられるＵＥの識別情報を提供する。分散型伝送の場合、Ｌ個の分散型ＰＲＢ内のＵＥ識別子のランクは、対応するＵＥが、どのＤ−ＰＲＢ上で、第１の利用可能な位置上にマッピングされるのかを示す。図１１ａは、シグナリングテーブルの内容の一例を示している。図１１ａに示すように、ＰＲＢの番号０、３、５、９、及び１１が分散型トラフィックに充てられ、テーブル上の第１の情報が１に設定されることによりシグナリングされる。残りのＰＲＢは、局所型トラフィックに充てられ、テーブル上の第１の情報が０に設定されることによりシグナリングされる。第２の情報は、ＰＲＢに割り当てられるストリームの参照子を与える。図１１ｂ、図１１ｃ、図１１ｄ、図１１ｅ、及び図１１ｆは、割り当てられた５つのストリームの分散型ＰＲＢ内でのマッピングの結果を表している。これらの図において、「Ｐ」と表されたシンボルは、禁止パイロットシンボルであり、それ以外のシンボルは、上述したのと同様の規則で表されており、ソースＢＤＵ内でのインデックス及びＢＤＵのインデックスを示す。
【００７３】
シグナリングの割り当ては、ＬＴＥではまだ明確に定義されていないが、各ＴＴＩ継続期間（２つの連続したサブフレーム）にわたり、多くとも最初の３つのＯＦＤＭシンボル上で、時間においてデータと多重化される。参照シンボルとの主な相違は、シグナリングに専用化されたシンボルの個数が、すべての分散型ＰＲＢで同じでない場合があるということである。ここでのケースでは、１２個のＰＲＢを有する２．５ＭＨｚの帯域幅であって、これら１２個のＰＲＢのうち、Ｌ＝４個が分散型トラフィックに割り当てられる場合を考える。図１２は、参照シンボルに加えてシグナリングの伝送を考慮に入れた、提案される方法の適用の一例を示している。その特定の例では、ＰＲＢは、２つの連続したサブフレーム、すなわち１４個のＯＦＤＭシンボル（Ｎ＝１４）から作成されたＴＴＩ継続期間に等しい伝送間隔をもつものとして定義される。基地局は、４つの送信アンテナをサポートするものと仮定する。加えて、分散型ＰＲＢは、ＰＲＢの第１のＯＦＤＭシンボルに挿入された、この図で「Ｓ」として参照されるシグナリングシンボルを含む。図１２は、すべてのＰＲＢが同じ個数のシグナリングシンボルを含まない状況を示している。実際には、ＰＲＢは、図１２ａ、図１２ｂ、図１２ｃ、及び図１２ｄに示す４つのＰＲＢの最初の２つのラインに対応する各ＴＴＩの最初の２つのＯＦＤＭ中にシグナリングを含む。加えて、図１２ｂのＰＲＢは、３つの追加のシグナリングシンボルが、第３のＯＦＤＭシンボルの最初の３つのサブキャリア位置に挿入されている。スペクトル資源を最適化するために、パラメータＳは、最初の２つのＯＦＤＭシンボルにおけるシグナリングシンボル、したがって１６個のシンボルのみを考慮して計算され、したがって、Ｓ＝１２８となる。このケースでは、１２個のＰＲＢを有する２．５ＭＨｚの帯域幅であって、これら１２個のＰＲＢのうち、Ｌ＝４個が分散型トラフィックに割り当てられる場合を考えている。３つの追加のシグナリングシンボルの位置に置かれるデータシンボルは、この図では線を引いて取り消され、図１２ｂに示すように単にパンクチャされる。
【００７４】
図１３は、説明した方法をセットアップできる伝送デバイス１３．１の一実施形態の一般的なアーキテクチャを提示している。ここで、伝送デバイス１３．１は、一変形では、以下で開示するようなプロセッサ１３．２によって実行される操作と同じ操作を実行する１つ又は幾つかの専用集積回路の形で実施されることに留意しなければならない。このデバイスは、信号の送受信を行う無線モジュール１３．３を備える。伝送されるデータは、説明した様々な方法を実施するプログラムを実行できるプロセッサ１３．２によって生成される。これらのプログラムは、読み出し専用メモリＲＯＭ１３．５又はランダムアクセスメモリ１３．４に記憶することができる。説明した様々な方法を実施するとき、作業空間が、ランダムアクセスメモリ１３．４に作成される。この作業空間は、ＰＤＵ、ＢＤＵ，Ｄ−ＢＤＵに対応する異なるバッファをホスティングすることができる。これらのモジュールは、異なるモジュール間での通信を可能にするバス１３．６によって接続されている。無線モジュール１３．３は、プロセッサ１３．２によって制御される。
【図面の簡単な説明】
【００７５】
【図１】時間上の無線資源チャネルのアーキテクチャを示す図である。
【図２】既知の方法による割り当てを示す図である。
【図３】テーブルベースシグナリングの一例を示す図である。
【図４ａ】従来技術における禁止シンボルを含むＰＲＢでの或る割り当ての例を示す図である。
【図４ｂ】従来技術における禁止シンボルを含むＰＲＢでの或る割り当ての例を示す図である。
【図４ｃ】従来技術における禁止シンボルを含むＰＲＢでの或る割り当ての例を示す図である。
【図５】従来技術による割り当て方式を示す図である。
【図６】本発明の一実施形態の一般的なアーキテクチャを示す図である。
【図７ａ】本発明の異なる実施形態の幾つかの例を示す図である。
【図７ｂ】本発明の異なる実施形態の幾つかの例を示す図である。
【図７ｃ】本発明の異なる実施形態の幾つかの例を示す図である。
【図８ａ】幾つかの異なるＰＲＢマッピング方式を示す図である。
【図８ｂ】幾つかの異なるＰＲＢマッピング方式を示す図である。
【図８ｃ】幾つかの異なるＰＲＢマッピング方式を示す図である。
【図８ｄ】幾つかの異なるＰＲＢマッピング方式を示す図である。
【図９】禁止シンボルが存在する場合のＰＲＢでの最終割り当ての幾つかの異なる変形を示す図である。
【図１０】本発明の一実施形態の機能図である。
【図１１ａ】３ＧＰＰ−ＬＴＥシステムの範囲における本発明の異なる実施形態の第１の適用を示す図である。
【図１１ｂ】３ＧＰＰ−ＬＴＥシステムの範囲における本発明の異なる実施形態の第１の適用を示す図である。
【図１１ｃ】３ＧＰＰ−ＬＴＥシステムの範囲における本発明の異なる実施形態の第１の適用を示す図である。
【図１１ｄ】３ＧＰＰ−ＬＴＥシステムの範囲における本発明の異なる実施形態の第１の適用を示す図である。
【図１１ｅ】３ＧＰＰ−ＬＴＥシステムの範囲における本発明の異なる実施形態の第１の適用を示す図である。
【図１１ｆ】３ＧＰＰ−ＬＴＥシステムの範囲における本発明の異なる実施形態の第１の適用を示す図である。
【図１２ａ】３ＧＰＰ−ＬＴＥシステムの範囲における本発明の異なる実施形態の第２の適用を示す図である。
【図１２ｂ】３ＧＰＰ−ＬＴＥシステムの範囲における本発明の異なる実施形態の第２の適用を示す図である。
【図１２ｃ】３ＧＰＰ−ＬＴＥシステムの範囲における本発明の異なる実施形態の第２の適用を示す図である。
【図１２ｄ】３ＧＰＰ−ＬＴＥシステムの範囲における本発明の異なる実施形態の第２の適用を示す図である。
【図１３】伝送デバイスの特定の一実施形態の一般的なアーキテクチャを示す図である。
【図１】
2008228279.tif 000003
【図２】
2008228279.tif 000004
【図３】
2008228279.tif 000005
【図４ａ】
2008228279.tif 000006
【図４ｂ】
2008228279.tif 000007
【図４ｃ】
2008228279.tif 000008
【図５】
2008228279.tif 000009
【図６】
2008228279.tif 000010
【図７ａ】
2008228279.tif 000011
【図７ｂ】
2008228279.tif 000012
【図７ｃ】
2008228279.tif 000013
【図８ａ】
2008228279.tif 000014
【図８ｂ】
2008228279.tif 000015
【図８ｃ】
2008228279.tif 000016
【図８ｄ】
2008228279.tif 000017
【図９】
2008228279.tif 000018
【図１０】
2008228279.tif 000019
【図１１ａ】
2008228279.tif 000020
【図１１ｂ】
2008228279.tif 000021
【図１１ｃ】
2008228279.tif 000022
【図１１ｄ】
2008228279.tif 000023
【図１１ｅ】
2008228279.tif 000024
【図１１ｆ】
2008228279.tif 000025
【図１２ａ】
2008228279.tif 000026
【図１２ｂ】
2008228279.tif 000027
【図１２ｃ】
2008228279.tif 000028
【図１２ｄ】
2008228279.tif 000029
【図１３】
2008228279.tif 000030
【外国語明細書】
2008228279.tif 000031
2008228279.tif 000032
2008228279.tif 000033
2008228279.tif 000034
2008228279.tif 000035
2008228279.tif 000036
2008228279.tif 000037
2008228279.tif 000038
2008228279.tif 000039
2008228279.tif 000040
2008228279.tif 000041
2008228279.tif 000042
2008228279.tif 000043
2008228279.tif 000044
2008228279.tif 000045
2008228279.tif 000046
2008228279.tif 000047
2008228279.tif 000048
2008228279.tif 000049
2008228279.tif 000050
2008228279.tif 000051
2008228279.tif 000052
2008228279.tif 000053
2008228279.tif 000054
2008228279.tif 000055
2008228279.tif 000056
2008228279.tif 000057
2008228279.tif 000058
2008228279.tif 000059
2008228279.tif 000060
2008228279.tif 000061
2008228279.tif 000062
2008228279.tif 000063
2008228279.tif 000064
2008228279.tif 000065
2008228279.tif 000066
2008228279.tif 000067
2008228279.tif 000068
2008228279.tif 000069
2008228279.tif 000070
2008228279.tif 000071
2008228279.tif 000072
2008228279.tif 000073
2008228279.tif 000074
2008228279.tif 000075
2008228279.tif 000076
2008228279.tif 000077